(57)【要約】【課題】廃却用パンを接着剤受け装置に組み込むことで、廃却用パンの設置と撤去作業が発生しないことを課題とする。【解決手段】搬送ベルト２６で構成される搬送路面の下にはパン３０が配置されており、ベルトコンベア装置１０にはホットメルト接着剤をパン３０へ噴射可能とする開口部２８が形成されている。これにより、ホットメルト接着剤はベルトコンベア装置１０に形成された開口部２８から搬送ベルト２６によって構成された搬送経路の下に載置されたパン３０に廃却されるので、ホットメルト接着剤を廃却する度にパン３０をベルトコンベア装置１０上に載置する必要がない。また、ホットメルトガン３２内の炭化したホットメルト接着剤を廃却する際に、ホットメルト接着剤を搬送ベルト２６に付着させてしまうこともない。【選択図】    図１
2004284611.tif 000002
【特許請求の範囲】
【請求項１】
包装材を搬送するコンベアの上方に設置され、前記コンベアによって搬送される包装材に接着剤を塗布する接着剤付与装置から噴射される接着剤を受ける接着剤受けの取付構造において、
前記コンベアで構成される搬送路面の下に配置された接着剤受けと、
前記コンベアに形成され、前記接着剤受けに前記接着剤を噴射可能とする開口部と、
を有することを特徴とする接着剤受けの取付構造。
【請求項２】
前記コンベアは、ローラに巻き掛けられたベルトを有するベルトコンベアであり、前記開口部は、前記接着剤受けの下へ前記ベルトを通すことによって形成されることを特徴とする請求項１に記載の接着剤受けの取付構造。
【請求項３】
前記開口部は、前記ローラにベルトを二本離間して巻き掛けられて形成されることを特徴とする請求項１に記載の接着剤受けの取付構造。
【発明の詳細な説明】
【０００１】
【発明の属する技術分野】
本発明は、接着剤受けの取付構造に関し、特に包装材を搬送するコンベアに関するものである。
【０００２】
【従来の技術】
従来、図３に示すような包装用シート１０２にホットメルト接着剤を塗布する包装装置１００がある。
【０００３】
この包装装置１００は、一対のローラ１０４と、そのローラ１０４に巻き掛けられた無端ベルト１０６からなるベルトコンベア装置１０２を備えている。このベルトコンベア装置１０２の上方には、包装用シート１０２の接着を行うホットメルトガン１０８が設置され、ホットメルトガン１０８により包装用シート１０２の重なり合う部分にホットメルト接着剤を塗布する（特許文献１参照）。
【０００４】
ところで、ホットメルトガン１０８から長時間ホットメルトを噴射しないと、ホットメルトガン１０８内でホットメルト接着剤が炭化してしまう。そこで、毎回ホットメルトガン１０８を使用する直前に、ホットメルトガン１０８内の炭化したホットメルト接着剤を廃却する必要がある。このとき、無端ベルト１０６上に廃却用パン１１０を載置し、この廃却用パン１１０の中に炭化したホットメルト接着剤を廃却している。
【０００５】
しかし、ホットメルト廃却の度に、無端ベルト１０６上に廃却用パン１１０を載置し、ホットメルトを廃却した後は、廃却用パン１１０を無端ベルト１０６上から撤去しなければならず、作業が煩わしい。
【０００６】
【特許文献１】
特開平７−２５７５０６号（第３図）
【０００７】
【発明が解決しようとする課題】
本発明は、上記事実を考慮し、廃却用パンを組み込むことで、廃却用パンの設置と撤去作業が発生しない接着剤受けの取付構造を提供することを目的とする。
【０００８】
【課題を解決するための手段】
請求項１に記載の本発明の接着剤受けの取付構造は、包装材を搬送するコンベアの上方に設置され、前記コンベアによって搬送される包装材に接着剤を塗布する接着剤付与装置から噴射される接着剤を受ける接着剤受けの取付構造において、前記コンベアで構成される搬送路面の下に配置された接着剤受けと、前記コンベアに形成され、前記接着剤受けに前記接着剤を噴射可能とする開口部と、を有することを特徴としている。
【０００９】
請求項１に記載の発明によれば、包装材はコンベアによって搬送され、このコンベアの上方に配置された接着剤付与装置により、ホットメルト接着剤が塗布される。
【００１０】
搬送路面の下には接着剤受けが配置されており、コンベアにはホットメルト接着剤を接着剤受けへ噴射可能とする開口部が形成されている。
【００１１】
これにより、ホットメルト接着剤はコンベアに形成された開口部から搬送経路の下に載置された接着剤受けに廃却されるので、ホットメルト接着剤を廃却する度に接着剤受けをコンベア上に載置する必要がない。
【００１２】
また、接着剤付与装置内の炭化したホットメルト接着剤を廃却する際に、ホットメルト接着剤をコンベアに付着させてしまうこともない。
【００１３】
請求項２に記載の本発明の接着剤受けの取付構造は、前記コンベアは、ローラに巻き掛けられたベルトを有するベルトコンベアであり、前記開口部は、前記接着剤受けの下へ前記ベルトを通すことによって形成されることを特徴としている。
【００１４】
請求項２に記載の発明によれば、コンベアはローラに巻き掛けられたベルトによって包装材を搬送するベルトコンベアであり、開口部はベルトを搬送路面上から下方へ迂回させ、接着剤受けの下を通すことで形成される。
【００１５】
この構成によれば、開口部をベルトの幅方向に大きく設けることが可能となるので、接着剤の廃却位置がベルトの幅方向にずれても、ホットメルト接着剤がベルトに付着することを防止できる。
【００１６】
また、ベルトの移動経路を変えることで、搬送路面上へ簡単に開口部が形成できる。なお、開口部の幅は包装材よりも小さくされており、包装材が開口部に落下することがない。
【００１７】
請求項３に記載の本発明の接着剤受けの取付構造によれば、前記開口部は、前記ローラにベルトを二本離間して巻き掛けられて形成されることを特徴としている。
【００１８】
請求項３の発明によれば、ベルトコンベアはローラに二本のベルトを巻き掛けて構成されており、二本のベルトは離間して開口部を形成している。
【００１９】
このように、ベルトを二本使用してベルトコンベアに開口部を形成することができるので、構造が簡単であり、ベルトコンベアの構成部品点数が少なくて済む。
【００２０】
また、開口部をベルトの搬送方向に大きく設けることが可能となるので、接着剤の廃却位置がベルトの搬送方向にずれても、接着剤がベルトに付着することを防止できる。
【００２１】
【発明の実施の形態】
本発明の第１の実施形態に係る接着剤受けが取付けられたベルトコンベア装置１０について説明する。
【００２２】
図１に示すように、ベルトコンベア装置１０は、ローラ１２、１４、１６、１８に搬送ベルト２６が巻掛けられた基本構成からなる。
【００２３】
ここで、搬送ベルト２６の搬送路の下面には、一対のガイドローラ２０、２４が設けられており、さらにガイドローラ２０、２４の下方にはガイドローラ２２が設けられている。搬送ベルト２６はガイドローラ２０、２２、２４の順で巻掛けられ、搬送ベルト２６の搬送路面に略Ｕ字状の開口部２８を形成している。
【００２４】
ローラ１２には図示しない駆動装置が接続されており、この駆動装置によってローラ１２が回転し、搬送ベルト２６が走行する。これにより、搬送ベルト２６上に載置された包装品３８が矢印Ａ方向に搬送される。なお、図示は省略するが、ローラ１２、１４、１６、１８とガイドローラ２０、２２、２４の両端は架台に回転自在に軸支されている。
【００２５】
開口部２８にはパン３０が挿設されており、図示しない受台で搬送ベルト２６と接続しないように支持されている。このパン３０は、後述するホットメルトガン３２から噴射されるホットメルト接着剤を受けるようになっている。パン３０は、開口部２８に収まる大きさの箱状とされ、高さ方向の寸法は搬送路から突出しない大きさとされている。
【００２６】
開口部２８の開口幅（送り方向）の寸法は、包装品３８の送り方向幅の寸法の１／３〜１／５とすることで、搬送ベルト２６の搬送路面上に載せて搬送される包装品３８は、パン３０によって搬送が妨げられることはなく、また、開口部２８内に落ち込むこともない。
【００２７】
ベルトコンベア装置１０の開口部２８の上方には、ホットメルトガン３２（接着剤塗布装置）が配置されている。ホットメルトガン３２は、ホットメルト接着剤が収容されたタンク（図示省略）から送り込まれてきたホットメルト接着剤を貯留する貯留部３４を備え、貯留部３４にはホットメルト接着剤を噴射するノズル３６が設けられている。タンクには図示しないヒーター等が内蔵されており、タンク内のホットメルト接着剤を所定の温度に制御して溶融状態を保つようになっている。
【００２８】
ここで、搬送ベルト２６の上を搬送されてきた包装品３８がホットメルトガン３２の下にきたとき、包装品検知器によって駆動装置へ検知信号が伝達され、駆動装置によってホットメルトガン３２がベルト２６近傍まで降下して、包装品３８の接着部４０Ａにノズル３６から溶融状態のホットメルト接着剤を噴射するようになっている。
【００２９】
包装品３８は中板４０を備えており、この中板４０の両側には側板４２、４４が連結され、中板４０にはＰＳ版４６が収納されている。中板４０は接着部４０Ａを有しており、ホットメルトガン３２から接着部４０Ａにホットメルト接着剤が噴射され、この後の工程で側板４２、４４を折り曲げて中板４０上に重ねる。これによって側板４２、４４が中板４０に接着固定され、ＰＳ版４６が包装される。
【００３０】
次に、本発明の第１の実施形態の作用について説明する。
【００３１】
図１に示すように、包装品３８は、ローラ１２、１４、１６、１８とガイドローラ２０、２２、２４に巻き掛けられた搬送ベルト２６の上に載せられて搬送され、この搬送ベルト２６の上方に配置されたホットメルトガン３２により、ホットメルト接着剤が塗布される。
【００３２】
ここで、ガイドローラ２０、２４、２２に巻掛けられた搬送ベルト２６によって開口部２８が形成されており、この開口部２８にはパン３０が配置されている。パン３０にはホットメルト接着剤が噴射可能とされている。
【００３３】
これにより、ホットメルトガン３２内の炭化したホットメルト接着剤を、塗布直前に搬送ベルト２６に形成された開口部２８に設置されたパン３０に廃却することができるので、ホットメルト接着剤を廃却する度にパン３０をベルトコンベア装置１０上に載置する必要がない。またこのとき、ホットメルト接着剤を搬送ベルト２６上に付着させてしまうことがない。
【００３４】
さらに、この構成によれば、開口部２８を搬送ベルト２６の幅方向に大きく設けることが可能となるので、ホットメルト接着剤が搬送ベルト２６の幅方向にずれて噴射されても、ホットメルト接着剤が搬送ベルト２６に付着することを防止できる。
【００３５】
なお、開口部２８はパン３０が収まる大きさであればよく、パン３０は噴射されたホットメルト接着剤が入る大きさに若干の余裕を持たせたサイズであればよい為、開口部２８の大きさは包装品３８よりも大きくなることはない。これによって、包装品３８が開口部２８に落下することはない。
【００３６】
次に、本発明の第２の実施形態に係る接着剤受けが取付けられたベルトコンベア装置５０について説明する。なお、第１の実施形態と共通する部分の説明は割愛する。
【００３７】
図２に示すように、ベルトコンベア装置５０は、ローラ１２、１４、１６、１８に搬送ベルト５２、５４が巻掛けられた基本構成からなる。搬送ベルト５２と搬送ベルト５４とは、搬送方向と直交する方向に所定の距離離間してローラ１２、１４、１６、１８に巻掛けられており、搬送ベルト５２と搬送ベルト５４とで開口部５６が形成されている。
【００３８】
ベルトコンベア装置５０の上方にはホットメルトガン３２が設置されている。さらに、ホットメルトガン３２の下方にはパン５８が設置されており、このパン５８は搬送ベルト５２、５４で形成された搬送路内にあって、ホットメルトガン３２から噴射されるホットメルト接着剤は開口部５６からパン５８に噴射されるようになっている。なお、パン５８は図示しない支持部材で搬送ベルト５２、５４に接触しないように支持されている。
【００３９】
次に、本発明の第２の実施形態の作用を説明する。
【００４０】
図２に示すように、ベルトコンベア装置５０はローラ１２、１４、１６、１８に搬送ベルト５２、５４が巻掛けられて構成されており、搬送ベルト５２、５４は離間して開口部５６を形成している。
【００４１】
このように、搬送ベルト５２、５４だけでベルトコンベア装置５０に開口部５６を形成することができるので、構造が簡単であり、ローラの点数が少なくて済む。
【００４２】
また、開口部５６を搬送ベルト５２、５４の搬送方向に大きく設けることが可能となるので、ホットメルト接着剤の廃却位置が搬送ベルト５２、５４の搬送方向にずれても、ホットメルト接着剤がベルト５２、５４に付着することを防止できる。
【００４３】
なお、本発明の実施形態においては、包装材としてＰＳ版４６を包装する包装品３８を例に採って説明したが、段ボール箱などの接着を必要とするものに接着剤を塗布してもよい。
【００４４】
また、本実施形態では、ローラにベルトが巻き掛けられたベルトコンベア装置に適用した例として説明したが、ベルトがなくローラまたはエンドレスチェーンなどで構成されたコンベア装置、或いはこれらを適宜組み合わせた装置においても、同様の効果が言える。
【００４５】
【発明の効果】
本発明は上記構成としたので、廃却用パンを接着剤受けに組み込むことで、廃却用パンの設置と撤去作業が発生しない。
【図面の簡単な説明】
【図１】本発明の第１の実施形態に係る接着剤受けが取付けられたコンベア装置を示す斜視図である。
【図２】本発明の第２の実施形態に係る接着剤受けが取付けられたコンベア装置を示す斜視図である。
【図３】従来の包装装置を示す斜視図である。
【符号の簡単な説明】
１０    ベルトコンベア装置
１２    ローラ
１４    ローラ
１６    ローラ
１８    ローラ
２０    ガイドローラ
２２    ガイドローラ
２４    ガイドローラ
２６    搬送ベルト（ベルト）
２８    開口部
３０    パン（接着剤受け）
３２    ホットメルトガン（接着剤塗布装置）
３８    包装品（包装材）
５０    ベルトコンベア装置
５２    搬送ベルト（ベルト）
５４    搬送ベルト（ベルト）
５６    開口部
５８    パン（接着剤受け）
【図１】
2004284611.tif 000003
【図２】
2004284611.tif 000004
【図３】
2004284611.tif 000005